(57)【要約】  洗濯機であって、洗濯機の内槽（１）は、扉（４）が開口に閉合された場合に密閉される容器である。内槽（１）の側壁には複数のリフティングリブ（８）が設けられている。リフティングリブ（８）の内部は中空であり、内槽（１）の内部と連通している。内槽（１）の側壁には、リフティングリブ（８）の中空部と連通する少なくとも１つの排水口（１０）が設けられており、排水口（１０）には、リフティングリブ（８）の内部に位置するシールバルブ（９）が設けられている。内槽（１）が高速回転する際、シールバルブ（９）の弁体（９２）は遠心力の作用によって内槽（１）の径方向の中心方向に向かって移動して、内槽（１）の側壁に設けられる排水口（１０）を開放する。上記のように設けることで、内槽（１）のリフティングリブ（８）の内部に排水口（１０）を隠匿して設置可能とし、隠匿された排水口（１０）から内槽（１）内の水流を排出するとの目的を達成する。且つ、排水口（１０）にシールバルブ（９）を設け、内槽（１）の高速回転時の遠心力を利用してシールバルブ（９）のバルブコアを制御することで、排水口（１０）が内槽（１）を自動で開放して排水するとの目的を実現する。上記のように設けることで、衣類は洗浄過程において密封された内槽（１）内の洗浄水とのみ接触する。【選択図】図８
2020531185.tif 000002
【特許請求の範囲】
【請求項１】
洗濯機であって、
前記洗濯機の内槽は、扉が開口に閉合された場合に密閉される容器であり、前記内槽の側壁には複数のリフティングリブが設けられ、前記リフティングリブは内部が中空であって前記内槽の内部と連通しており、前記内槽の側壁には前記リフティングリブの中空部と連通する少なくとも１つの排水口が設けられ、前記排水口には前記リフティングリブの内部に位置するシールバルブが設けられ、前記内槽が高速回転する際、前記シールバルブの弁体は遠心力の作用によって前記内槽の径方向の中心方向に向かって移動して、前記内槽の側壁に設けられる前記排水口を開放することを特徴とする洗濯機。
【請求項２】
前記リフティングリブの内部は中空であり、前記リフティングリブの底部と前記内槽の側壁との接続箇所に隙間が設けられ、前記隙間は、前記リフティングリブの内部の前記中空部と前記内槽の内部とを連通する水流経路を構成することを特徴とする請求項１に記載の洗濯機。
【請求項３】
前記リフティングリブの前記中空部に対応する前記内槽の側壁には少なくとも１つの排水口が設けられ、前記排水口は、前記リフティングリブの前記中空部に流入した洗浄水が前記排水口を通じて排出されるよう、前記リフティングリブの前記中空部と外部とを連通させることを特徴とする請求項１に記載の洗濯機。
【請求項４】
前記シールバルブは前記弁体とカウンタウェイトを含み、前記弁体と前記カウンタウェイトは支持ロッドの両端にそれぞれ固定接続され、前記支持ロッドの中央部は前記内槽に支持されるよう接触しており、前記内槽の高速回転時に、前記カウンタウェイトは遠心力の作用を受けて前記内槽の径方向に沿って上下に移動しつつ、前記支持ロッドを介して、前記弁体を前記内槽の径方向且つ前記カウンタウェイトの運動方向とは反対方向に変位させることを特徴とする請求項１に記載の洗濯機。
【請求項５】
前記支持ロッドは交差するよう設けられる第１ロッド部と第２ロッド部を含み、前記第１ロッド部と前記第２ロッド部の接続箇所は前記支持ロッドの両端よりも低くなるよう設けられ、且つ、前記第１ロッド部と前記第２ロッド部の接続箇所は前記内槽に支持されるよう接触しており、前記支持ロッドの両端に設置される前記弁体と前記カウンタウェイトは、前記接続箇所周りに上下に回転移動することを特徴とする請求項４に記載の洗濯機。
【請求項６】
前記第１ロッド部の端部は前記弁体にヒンジ接続され、前記第２ロッド部の端部は前記カウンタウェイトに固定接続され、前記第１ロッド部の軸方向の長さは前記第２ロッド部の軸方向の長さよりも短いことを特徴とする請求項５に記載の洗濯機。
【請求項７】
前記リフティングリブの前記中空部には装着ベースが設けられており、前記装着ベースは内槽の側壁に固定され、前記シールバルブの前記弁体は前記内槽の径方向に移動可能に前記装着ベースに装着され、前記弁体の一端は前記装着ベースを貫通して前記支持ロッドの端部に接続され、前記弁体の他端は内槽の側壁に設けられた前記排水口に対応するよう設置されることを特徴とする請求項５に記載の洗濯機。
【請求項８】
前記装着ベースは前記排水口に対応して同軸に設置される錐体であり、前記錐体の内部は前記弁体を装着するために中空となっており、前記弁体の上端は前記錐体の天井部を貫通して前記支持ロッドにヒンジ接続され、下端は前記排水口に対応してこれを密封する止栓となっており、
好ましくは、前記止栓が前記装着ベースから抜け落ちないよう、前記錐体の天井部における開口の直径は前記止栓の外周の直径よりも小さくなっており、
より好ましくは、前記支持ロッドと前記錐体の天井面との接触箇所が支点となり、前記支持ロッドの端部の前記カウンタウェイトが支点周りに上下に移動可能となるよう、前記支持ロッドの接続箇所が前記錐体の天井部に位置規制されるよう接触していることを特徴とする請求項６に記載の洗濯機。
【請求項９】
前記弁体に弾性力を付与して押動し、対応する排水口を閉止させるよう、前記シールバルブの弁体及び／又は支持ロッドは弾性復元部材を介して前記内槽に接続され、前記内槽の高速回転時には、遠心力が前記弾性復元部材の弾性力に抗して前記弁体を移動させて排水口を開放し、
好ましくは、前記弾性復元部材はバネであり、前記バネは前記弁体の外周に覆設されて前記内槽の径方向に延伸し、前記バネの両端が前記弁体の止栓と装着ベースの先端にそれぞれ位置規制されるよう接触することで、前記バネが前記弁体と前記装着ベースの間にしっかりと挟持されることを特徴とする請求項１〜８のいずれかに記載の洗濯機。
【請求項１０】
前記リフティングリブは前記内槽の軸方向に沿って延伸しており、前記リフティングリブの前記中空部の前後両端には少なくとも１つの排水口がそれぞれ設けられ、各排水口には前記シールバルブがそれぞれ対応するよう装着され、２つの前記シールバルブのカウンタウェイトは、いずれも対応する前記排水口に対して前記内槽の中心方向に偏移していることを特徴とする請求項９に記載の洗濯機。
【発明の詳細な説明】
【技術分野】
【０００１】
本発明は洗濯機の技術分野に属し、具体的には、回転可能且つ貯水可能な内槽のみが設けられた洗濯機に関する。
【背景技術】
【０００２】
従来技術において、一般的に、ドラム洗濯機は互いに嵌装される内槽と外槽を含む。外槽は密封されて貯水に用いられる。また、内槽には衣類が投入され、内槽を回転させることで衣類を打ち付けて洗浄する。且つ、内槽には脱水孔が設けられ、外槽内の水が脱水孔から内槽に流入して内槽内の衣類を浸漬する。また、内槽内の水は脱水孔から外槽に流出する。且つ、内槽内の衣類の水分は内槽の高速回転時に脱水孔から外槽に排出される。こうして、衣類を洗浄するとの目的が実現される。
【０００３】
しかし、内槽と外槽は互いに嵌装されるため、洗濯機の使用過程で内槽と外槽の間に汚れが溜まりやすい。また、内槽と外槽が互いに嵌装されることから、ユーザは内槽の外壁と外槽の内壁をクリーニングする術がない。よって、洗濯機内部の細菌が増殖し、洗濯機の洗濯効率や衣類洗浄後の清潔度が低下する。
【０００４】
また、上述した従来の洗濯機の場合、内槽の外部に外槽が覆設されており、洗濯機の洗浄過程では内槽が回転することで衣類を打ち付けて洗浄する。そのため、洗濯機の洗浄容量は内槽が基準となり、洗濯機の内部空間の利用率が低い。よって、従来をベースにした場合、洗濯機の洗浄容量を増大することは不可能である。
【０００５】
上記に鑑みて、内槽と外槽を一体化し、内槽を密封容器とすることで水と衣類を投入可能とし、且つ回転により衣類を打ち付けて洗浄を実施可能な洗濯機を如何にして設置するか、及び、洗濯機に外槽を設けないか、外槽と洗濯機のハウジングを一体的に設けることで、洗濯機の内槽を拡大して洗濯機の洗浄容量を増大可能とすることが、研究開発の焦点となっている。
【０００６】
しかし、内槽は洗浄水を貯めるだけでなく、回転により槽内の衣類を打ち付けて洗浄する必要がある。そのため、上記洗濯機に適用される脱水構造及び排水構造を如何に設置するかもまた喫緊に解決を要する難題となっている。
【０００７】
上記の技術的欠点に鑑みて、本願を提案する。
【発明の概要】
【発明が解決しようとする課題】
【０００８】
本発明は、従来技術に存在する上記の欠点を解消するために、洗濯機を提供することを目的とする。本発明で記載する洗濯機の脱水構造では、内槽に排水口を設け、排水口にシールバルブを設けることで、洗濯機が脱水プログラムの場合に内槽が高速回転状態になると、シールバルブが内槽の高速回転に伴う遠心力の作用を受けて開放されることで、内槽内の衣類から離脱した洗浄水が排出される。これにより、洗濯機の脱水プログラムにおいて内槽内の洗浄水を排出するとの課題を解決する。
【課題を解決するための手段】
【０００９】
上記の技術的課題を解決し、上記の技術的効果を達成するために、本発明が採用する技術方案の基本的設計思想は下記の通りである。
【００１０】
洗濯機であって、洗濯機の内槽は、扉が開口に閉合された場合に密閉される容器である。内槽の側壁には複数のリフティングリブが設けられている。リフティングリブは内部が中空であり、内槽の内部と連通している。内槽の側壁には、リフティングリブの中空部と連通する少なくとも１つの排水口が設けられており、排水口には、リフティングリブの内部に位置するシールバルブが設けられている。内槽が高速回転する際、シールバルブの弁体は遠心力の作用によって内槽の径方向の中心方向に向かって移動して、内槽の側壁に設けられる排水口を開放する。
【００１１】
更に、リフティングリブの内部は中空であり、リフティングリブの底部と内槽の側壁との接続箇所に隙間が設けられている。前記隙間は、リフティングリブの内部の中空部と内槽の内部とを連通する水流経路を構成する。
【００１２】
更に、リフティングリブの中空部に対応する内槽の側壁には少なくとも１つの排水口が設けられている。前記排水口は、リフティングリブの中空部に流入した洗浄水が排水口を通じて排出されるよう、リフティングリブの中空部と外部とを連通させる。
【００１３】
更に、前記シールバルブは弁体とカウンタウェイトを含む。弁体とカウンタウェイトは、支持ロッドの両端にそれぞれ固定接続される。また、支持ロッドの中央部は内槽に支持されるよう接触している。これにより、内槽の高速回転時に、カウンタウェイトは遠心力の作用を受けて内槽の径方向に沿って上下に移動しつつ、支持ロッドを介して、弁体を内槽の径方向且つカウンタウェイトの運動方向とは反対方向に変位させる。
【００１４】
更に、前記支持ロッドは、交差するよう設けられる第１ロッド部と第２ロッド部を含む。第１ロッド部と第２ロッド部の接続箇所は、支持ロッドの両端よりも低くなるよう設けられる。且つ、第１ロッド部と第２ロッド部の接続箇所は内槽に支持されるよう接触している。これにより、支持ロッドの両端に設置される弁体とカウンタウェイトは、接続箇所周りに上下に回転移動する。
【００１５】
更に、第１ロッド部の端部は弁体にヒンジ接続され、第２ロッド部の端部はカウンタウェイトに固定接続される。第１ロッド部の軸方向の長さは第２ロッド部の軸方向の長さよりも短い。
【００１６】
更に、前記リフティングリブの中空部には装着ベースが設けられている。装着ベースは内槽の側壁に固定され、シールバルブの弁体は内槽の径方向に移動可能に装着ベースに装着される。弁体の一端は装着ベースを貫通して支持ロッドの端部に接続され、弁体の他端は内槽の側壁に設けられた排水口に対応するよう設置される。
【００１７】
更に、前記装着ベースは排水口に対応して同軸に設置される錐体である。錐体の内部は、弁体を装着するために中空となっている。弁体の上端は錐体の天井部を貫通して支持ロッドにヒンジ接続され、下端は排水口に対応してこれを密封する止栓となっている。好ましくは、止栓が装着ベースから抜け落ちないよう、錐体の天井部における開口の直径は止栓の外周の直径よりも小さくなっている。より好ましくは、支持ロッドと錐体の天井面との接触箇所が支点となり、支持ロッドの端部のカウンタウェイトが支点周りに上下に移動可能となるよう、支持ロッドの接続箇所が錐体の天井部に位置規制されるよう接触している。
【００１８】
更に、弁体に弾性力を付与して押動し、対応する排水口を閉止させるよう、前記シールバルブの弁体及び／又は支持ロッドは弾性復元部材を介して内槽に接続される。また、内槽の高速回転時には、遠心力が弾性復元部材の弾性力に抗して弁体を移動させ、排水口を開放する。好ましくは、前記弾性復元部材はバネである。バネは弁体の外周に覆設されて内槽の径方向に延伸する。バネの両端が弁体の止栓と装着ベースの先端にそれぞれ位置規制されるよう接触することで、バネが弁体と装着ベースの間にしっかりと挟持される。
【００１９】
更に、リフティングリブは内槽の軸方向に沿って延伸している。リフティングリブの中空部の前後両端には少なくとも１つの排水口がそれぞれ設けられ、各排水口にはシールバルブがそれぞれ対応するよう装着される。２つのシールバルブのカウンタウェイトは、いずれも対応する排水口に対して内槽の中心方向に偏移している。
【発明の効果】
【００２０】
本発明で記載する洗濯機は、従来技術の洗濯機と比較して以下の有益な効果を有する。
【００２１】
上記のように設けることで、内槽のリフティングリブの内部に排水口を隠匿して設置可能とし、隠匿された排水口から内槽内の水流を排出するとの目的を達成する。且つ、排水口にシールバルブを設け、内槽の高速回転時の遠心力を利用してシールバルブのバルブコアを制御することで排水口の開閉を実現する。これにより、洗濯機が脱水プログラムを実行する際に、内槽の高速回転時の遠心力がシールバルブのバルブコアに作用することで、排水口が自動的に内槽を開放し、排水するとの目的が達せられる。
【００２２】
更に、扉を閉合することで洗浄用の密封容器となるよう内槽を設けることで、衣類は洗浄過程において密封された内槽内の洗浄水とのみ接触する。これにより、内槽と外槽の間の洗浄水が内槽内に流入して衣類を汚染するとの事態が回避されるため、洗濯機による洗浄の清潔度が大幅に向上する。また、内槽と外槽の間が洗浄水により汚染されることで洗濯機による衣類の洗浄が徹底されないとの事態が回避される。
【００２３】
且つ、本発明は構造がシンプルであり、効果が著しく、利用普及に適している。
【００２４】
本発明の技術方案の設計思想をより明確とすることで、これによりもたらされる有益な効果がより容易に理解されるよう、以下に、図面を組み合わせて本発明の一部具体的実施形態につき詳細に記載する。
【００２５】
図面は、本発明の一部として本発明の更なる理解のために用いられる。また、本発明の概略的実施例及びその説明は本発明の解釈のために用いられるが、本発明を不当に限定するものではない。なお、言うまでもなく、以下で記載する図面は実施例の一部にすぎず、当業者であれば、創造的労働を要することなくこれらの図面から更にその他の図面を得ることも可能である。
【図面の簡単な説明】
【００２６】
【図１】本発明の実施例１における洗濯機の構造を示す図である。
【図２】本発明の実施例１における洗濯機の背面構造を示す図である。
【図３】本発明の図２のＡ部分におけるシールバルブが閉状態の場合の拡大構造を示す図である。
【図４】本発明の図２のＡ部分におけるシールバルブが開状態の場合の拡大構造を示す図である。
【図５】本発明の実施例２における洗濯機の背面構造を示す図である。
【図６】本発明の図５のＢ部分におけるシールバルブが閉状態の場合の拡大構造を示す図である。
【図７】本発明の図５のＢ部分におけるシールバルブが開状態の場合の拡大構造を示す図である。
【図８】本発明の実施例３における洗濯機の構造を示す図である。
【図９】本発明の図８のＣ部分におけるシールバルブが閉状態の場合の拡大構造を示す図である。
【図１０】本発明の図８のＣ部分におけるシールバルブが開状態の場合の拡大構造を示す図である。
【図１１】本発明の実施例４における洗濯機の構造を示す図である。
【図１２】本発明の図１１のＤ部分におけるシールバルブが閉状態の場合の拡大構造を示す図である。
【図１３】本発明の図１１のＤ部分におけるシールバルブが開状態の場合の拡大構造を示す図である。
【図１４】本発明の実施例５における洗濯機の構造を示す図である。
【図１５】本発明の図１４のＥ部分におけるシールバルブが閉状態の場合の拡大構造を示す図である。
【図１６】本発明の図１４のＥ部分におけるシールバルブが開状態の場合の拡大構造を示す図である。
【図１７】本発明の実施例６における洗濯機の内槽の断面構造を示す図である。
【図１８】本発明の実施例７における洗濯機の内槽の背面構造を示す図である。
【発明を実施するための形態】
【００２７】
なお、これらの図面及び文字記載は何らかの方式で本発明の構想の範囲を制限するとの意図ではなく、特定の実施例を参照して当業者に本発明の概念を説明するためのものである。
【００２８】
本発明における実施例の目的、技術方案及び利点をより明確とすべく、以下では本発明の実施例にかかる図面を組み合わせて、実施例の技術方案につき明瞭簡潔に述べる。なお、以下の実施例は本発明を説明するためのものであって、本発明の範囲を制限するものではない。
【００２９】
本発明の記載において、「上」、「下」、「前」、「後」、「左」、「右」、「垂直」、「内」、「外」等の用語で示される方向又は位置関係は、図示に基づく方向又は位置関係であって、本発明の記載の便宜上及び記載の簡略化のためのものにすぎず、対象となる装置又は部材が特定の方向を有し、且つ特定の方向で構成及び操作されねばならないことを明示又は暗示するものではない。よって、本発明を制限するものと理解すべきではない。
【００３０】
本発明の記載において、別途明確に規定及び限定しない限り、「装着する」、「連なる」、「接続する」との用語は広義に解釈すべきである。例えば、固定接続であってもよいし、取り外し可能な接続であってもよいし、一体接続であってもよい。また、機械的な接続であってもよいし、電気的な接続であってもよい。更には、直接的な連なりであってもよいし、中間媒体を介した間接的な連なりであってもよい。当業者であれば、具体的状況に応じて本発明における上記用語の具体的意味を解釈可能である。
【００３１】
図１〜図２に示すように、本発明の実施例では洗濯機について説明する。洗濯機はハウジング２を含み、ハウジング２内に内槽１が設けられている。内槽１の軸線は水平に延伸するか、或いは、前方から後方に向かって徐々に下方に傾斜して設けられる。内槽１の前端は開口して設けられる内槽の槽口１０１となっており、後端は密封して設けられる内槽底１０２となっている。内槽１の槽壁には貫通孔が設けられていない。よって、内槽１の内部は、前部のみが開口して設けられる密封容器を構成している。また、洗濯機のハウジング２の前端には、外側に開放可能な扉４が装着されている。そのため、扉４を閉止することで内槽の槽口１０１が封止され、扉４を開放することで内槽の槽口１０１から内槽１の内部に衣類を投入するとの目的が達せられる。内槽１の後端は、内槽支持部材３を介して洗濯機のハウジング２内に装着される。前記内槽支持部材３は内槽１の後端に同軸に設けられる。内槽支持部材３の上下両端は、それぞれ内槽１の前端の槽口方向に屈曲している。屈曲部は少なくとも内槽１の中央部まで延伸し、上下の屈曲部がそれぞれ制震吊りバネ６と制震支持ロッド７を介して洗濯機のハウジング２に接続される。これにより、内槽支持部材３を震動可能に洗濯機のハウジング２内に装着するとの目的が実現される。且つ、内槽底１０２の中心は、内槽１が回転駆動されるよう洗濯機の駆動モータ５のモータ軸に同軸に設置される。内槽１と駆動モータ５はいずれも内槽支持部材３に固定装着される。好ましくは、内槽底１０２と駆動モータ５は、それぞれ内槽支持部材３の両側に設けられる。駆動モータ５は内槽支持部材３に固定接続される。駆動モータ５のモータ軸は、軸受を介して内槽支持部材３を貫通し、内槽底１０２に同軸に固定接続される。且つ、駆動モータ５は、内槽支持部材３に対し回転可能である。これにより、内槽支持部材３に対する内槽１と駆動モータ５の装着が実現されるとともに、駆動モータ５の作用によって、内槽１が単独で回転することにより内部の衣類を洗浄するとの目的が実現される。
【００３２】
更に、本発明の実施例における洗濯機は、従来技術における扉が内槽の槽口を閉止することで内槽が密封容器を構成する任意の洗濯機とすればよい。洗濯機が脱水プログラムを実行する際には、内槽が高速回転するよう制御される。これにより、衣類から離脱した内槽内の水流が内槽から円滑に排出されるため、内槽に孔を有さない洗濯機において正常に脱水プログラムを実行するとの目的が達成される。よって、本発明の実施例における洗濯機は図中の構造に限らず、例えば図８に示すような従来の一般的な洗濯機としてもよい。洗濯機は、内槽１が脱水孔を有さず、且つ扉４により内槽の槽口１０１を閉止することで密封容器を形成するものであればよい。
【００３３】
また、扉を閉合することで洗浄用の密封容器となるよう内槽を設けることで、衣類は洗浄過程において密封された内槽内の洗浄水とのみ接触する。これにより、内槽と外槽の間の洗浄水が内槽内に流入して衣類を汚染するとの事態が回避されるため、洗濯機による洗浄の清潔度が大幅に向上する。また、内槽と外槽の間が洗浄水により汚染されることで洗濯機による衣類の洗浄が徹底されないとの事態が回避される。
【実施例１】
【００３４】
本発明の実施例では、洗濯機の内槽１内の衣類から離脱した水流を排出するとともに、洗濯機の動作過程において、内槽１を密封して貯水することで正常な洗浄を行うべく、以下のように設置する。
【００３５】
図１〜図４に示すように、本実施例では洗濯機について説明する。洗濯機の内槽１は、扉４が内槽の槽口１０１に閉合された場合に密閉される容器である。内槽底１０２には少なくとも１つの排水口１０が設けられており、排水口１０には内槽底１０２の径方向に移動して開閉するシールバルブ９が設けられている。内槽１が高速回転する際、シールバルブ９の弁体９２は遠心力の作用によって内槽底１０２の径方向の中心方向へと移動して、内槽底１０２に設けられる排水口１０を開放する。
【００３６】
本実施例において、前記内槽底１０２の外周には等間隔の角度で配置される複数の排水口１０が設けられており、各排水口１０にシールバルブ９が１つずつ対応して設けられる。前記シールバルブ９の弁体９２は、位置規制構造の作用によって、内槽１の高速回転に伴う遠心力の作用を受けて内槽底１０２の径方向に移動し、排水口１０を開放する。好ましくは、各排水口１０は内槽底１０２の中心に対し対称に配置される。これにより、内槽底１０２の重心が中心に位置するため、内槽１の偏心が防止される。
【００３７】
本実施例において、前記シールバルブ９は弁体９２を含む。弁体９２は接続ロッドを介してカウンタウェイト９１に接続される。前記接続ロッド９３とカウンタウェイト９１は、内槽底１０２の中心に対して対向する両側に設けられる。内槽１が高速回転する際、カウンタウェイト９１は遠心力の作用を受けて内槽底１０２の径方向に沿って外側へと移動し、接続ロッド９３を介して弁体９２を内槽底１０２の中心方向へと移動させる。これにより、対応する排水口１０が開放される。洗濯機の内槽底１０２にシールバルブ９を設けることで、内槽１の高速回転時には、遠心力がカウンタウェイト９１に作用して、カウンタウェイト９１を内槽１の外周方向へと移動させる。これにより、反対側の弁体９２が内槽底１０２の中心方向に引っ張られて移動する結果、内槽１の高速回転時の遠心力を利用して内槽底１０２に設けられた排水口１０を開放するとの目的が実現される。
【００３８】
好ましくは、カウンタウェイト９１と弁体９２の接続構造にかかる遠心力の作用方向が、弁体９２を内槽底１０２の中心方向へ移動させる方向となるよう、カウンタウェイト９１の重量は弁体９２の重量よりも大きくする。より好ましくは、遠心力の作用を高めるために、カウンタウェイト９１の重量を弁体９２の重量の２倍よりも大きくする。これにより、弁体９２はカウンタウェイト９１及び摩擦力の影響に抗し、遠心力の作用によって内槽底１０２の中心方向へと確実に移動する。
【００３９】
本実施例において、前記接続ロッドは、内槽底１０２の中心を通過して内槽底１０２の径方向に延伸する。接続ロッド９３の両端はカウンタウェイト９１とシールバルブ９の弁体９２にそれぞれ固定接続され、カウンタウェイト９１とシールバルブ９の弁体９２が、内槽底１０２の中心に対し対向する両側にそれぞれ設けられる。これにより、カウンタウェイト９１と弁体９２は遠心力の作用を受けてそれぞれ反対方向に変位するが、カウンタウェイト９１の重量は弁体９２の重量よりも大きいことから、カウンタウェイト９１が接続ロッドを介して弁体９２を引っ張り、自身とともに弁体９２を内槽底１０２の中心方向に近付けるよう移動させる。結果として、内槽１の高速回転時には、遠心力の作用によって弁体９２が排水口１０を開放する。且つ、各排水口１０はいずれも内槽底１０２の外周寄りに設置されている。そのため、洗濯機の脱水時には、内槽１の側壁に沿って流動する水流が内槽底１０２の外周に設けられた排水口１０から排出される。これにより、洗濯機の脱水プログラムの過程で全ての脱水水流が排出され、内槽１内に水流が残留するとの事態が回避される。
【００４０】
本実施例において、前記シールバルブ９は内槽底１０２に固定接続されるため、内槽１とともに回転する。シールバルブ９と内槽底１０２を固定接続することで、洗濯機が脱水プログラムを実行する際に、シールバルブ９の弁体９２とカウンタウェイト９１はいずれも内槽１とともに高速回転する。これにより、弁体９２が遠心力の作用を受けて、内槽底１０２に設けられる排水口１０を開放するよう保証する。
【００４１】
本実施例において、内槽底１０２には弁体９２を装着するための装着ベース９７が設けられている。前記装着ベース９７は、内槽底１０２の径方向に沿って延伸する位置規制室を含む。前記弁体９２は、内槽底１０２の径方向に移動可能に位置規制室内に設けられる。また、前記排水口１０は、位置規制室における内槽底１０２の外周寄りの一端に設けられる。上記のように設けることで、バルブコアは内槽底に設けられた位置規制室内で移動するが、位置規制室の影響で、バルブコアは内槽の径方向にのみ伸縮変位可能である。これにより、内槽の高速回転に伴う遠心力の作用を受けた場合に、バルブコアが内槽の径方向へと伸縮移動して、位置規制室端部の排水口を開閉するよう保証している。
【００４２】
本実施例において、前記シールバルブ９の弁体９２は、弾性復元部材を介して内槽底１０２に接続される。これにより、弁体９２に弾性力を付与して押動し、対応する排水口１０を閉止させる。また、内槽１の高速回転時には、遠心力が弾性復元部材の弾性力に抗して弁体９２を移動させ、排水口１０を開放する。シールバルブ９に弾性復元部材を設けることで、初期状態時には弁体９２を閉位置に位置させて排水口１０を閉塞するよう保証する。且つ、シールバルブ９が遠心力の作用を受けて開放されたあと、洗濯機が脱水プログラムの実行を停止したときには、弁体９２が弾性復元部材に引っ張られて初期状態の閉位置へと戻り、排水口１０を閉塞する。これにより、洗濯機が洗浄プログラム及びすすぎプログラムを実行する際に内槽１が密閉容器となるよう保証されるため、洗浄水又はすすぎ水の流出が回避される。
【００４３】
本実施例において、前記弾性復元部材はバネ９１１とする。バネ９１１は一端が弁体９２に接続され、他端が内槽底１０２に設けられた装着ベース９７における内槽底１０２の中心寄りの一端に固定される。弁体９２は、バネ９１１の引張力の作用を受けて、装着ベース９７の径方向外側への移動が規制される。これにより、弁体９２はバネ９１１に引っ張られ、位置復帰の作用力が付与される。
【００４４】
本実施例では、図４に示すように、洗濯機が脱水状態になると、内槽１が高速回転状態となる。すると、カウンタウェイト９１が遠心力の作用を受けて内槽１の外周に向かって移動しつつ、弁体９２に対し内槽１の中心方向に移動する引張力を付与する。弁体９２にかかるカウンタウェイト９１の遠心力はバネ９１１の弾性力に抗し、弁体９２を内槽底１０２の中心方向へと移動させてシールバルブを開放する。また、図３に示すように、洗濯機が脱水状態でない場合、内槽１は高速回転状態にはならない。よって、カウンタウェイト９１は遠心力の作用を受けず、バネ９１１が押圧状態となって、弁体９２に対し内槽底１０２の外周方向へ向かう押動力を付与する。これにより、弁体９２は内槽底１０２の外周方向に向かってシールバルブを閉止するまで移動する。且つ、内槽１が洗浄又はすすぎプログラムの場合、バネ９１１は常に弁体９２に対し弾性力を付与する。これにより、弁体９２が排水口１０を終始閉塞するよう保証することで、内槽底１０２における排水口１０が常に閉状態となるよう保証する。
【００４５】
本実施例において、内槽底１０２にはカウンタウェイト９１の移動を規制する位置規制溝９８が設けられている。前記位置規制溝９８は内槽底１０２の径方向に延伸しており、前記カウンタウェイト９１が内槽底１０２の対応する位置規制溝に装着される。これにより、内槽１の高速回転時には、カウンタウェイト９１が位置規制溝の軸線方向に沿って移動し、カウンタウェイト９１を引っ張って排水口１０を開放する。内槽底に位置規制溝を設け、カウンタウェイトが常に内槽底の径方向に沿って移動するよう保証することで、カウンタウェイトの移動方向に偏りが生じないよう保証する。これにより、カウンタウェイトが遠心力の作用を受けて内槽の径方向に沿って移動する際に、弁体を引っ張って排水口を開閉するとの目的が実現される。
【００４６】
本実施例において、内槽底１０２には複数の位置規制溝９８と複数の排水口１０が交互に設けられる。各排水口１０と位置規制溝は、１つずつ対応して内槽底１０２の中心に対し対向する両側に設けられるとともに、内槽底１０２の同一の直径に沿って延伸している。対向する両側の排水口１０と位置規制溝９８には、シールバルブ９とカウンタウェイト９１がそれぞれ設けられ、シールバルブ９の弁体９２とカウンタウェイト９１が、内槽底１０２の対応する直径に沿って延伸する接続ロッドを介して接続される。これにより、内槽１が高速回転する際、カウンタウェイト９１が遠心力を受けて内槽底１０２の外周方向へと移動し、反対側の弁体９２が接続ロッドを介して内槽底１０２の中心方向へと移動することで、排水口１０が開放される。また、内槽底１０２の外周に複数の排水口１０を均一に配置することで、内槽１内の衣類から離脱した水が全て排出されるよう保証している。よって、内槽１内に水が残留することがなく、内槽１からの脱水時における排出の信頼性が向上する。
【実施例２】
【００４７】
本発明の実施例では、洗濯機の内槽１内の衣類から離脱した水流を排出するとともに、洗濯機の動作過程において、内槽１を密封して貯水することで正常な洗浄を行うべく、以下のように設置する。
【００４８】
図５〜図７に示すように、本実施例では洗濯機について説明する。洗濯機の内槽１は、扉４が内槽の槽口１０１に閉合された場合に密閉される容器である。内槽底１０２には少なくとも１つの排水口１０が設けられており、排水口１０には内槽底１０２の径方向に移動して開閉するシールバルブ９が設けられている。内槽１が高速回転する際、シールバルブ９の弁体９２は遠心力の作用によって内槽底１０２の平行な面で移動して、内槽底１０２に設けられる排水口１０を開放する。
【００４９】
本実施例において、前記シールバルブ９は弁体９２とカウンタウェイト９１を含む。弁体９２及びカウンタウェイト９１は、第１接続ロッド９５の両端にそれぞれヒンジ接続される。また、内槽底１０２及びカウンタウェイト９１は、第２接続ロッド９６の両端にそれぞれヒンジ接続される。内槽１が高速回転する際、カウンタウェイト９１は、遠心力の作用を受けて内槽底１０２の外周方向へと移動し、第１接続ロッド９５を介して弁体９２を内槽底１０２の平面に沿って移動させる。これにより、対応する排水口１０が開放される。洗濯機の内槽底にシールバルブを設けることで、内槽の高速回転時には、遠心力がカウンタウェイトに作用して、カウンタウェイトを内槽の外周方向へと移動させる。これにより、接続ロッドを介してバルブコアが内槽底の平行な面に沿って移動する結果、内槽の高速回転時の遠心力を利用して内槽底に設けられた排水口を開放するとの目的が実現される。
【００５０】
本実施例において、前記内槽底１０２には装着構造が設けられている。前記装着構造は、内槽底１０２に固定接続される中心部９９を含む。中心部９９の外周の径方向には突出リブが突設されており、第２接続ロッド９６の端部が突出リブ９１０の突出端にヒンジ接続される。内槽底１０２に設けられた中心部及び突出リブ９１０からなる装着構造にシールバルブ９を装着することで、カウンタウェイト９１は、遠心力の作用を受けた場合に、ヒンジ接続される第１接続ロッド９５及び第２接続ロッド９６の相互作用によって内槽底１０２の外周方向へと移動する。且つ、カウンタウェイト９１は、突出リブ９１０にヒンジ接続される第２接続ロッド９６により位置規制されるため、抜け落ちが防止される。また、カウンタウェイト９１は中心部９９から一定の距離だけ突出した突出リブ９１０に装着されるため、中心部と一定の距離を隔てている。これにより、カウンタウェイト９１の変位スペースが保証される。
【００５１】
本実施例において、前記内槽底１０２には複数の排水口１０が設けられており、各排水口１０にシールバルブ９が１つずつ対応して設けられる。前記シールバルブ９の弁体９２は、位置規制構造の作用によって、内槽１の高速回転に伴う遠心力の作用を受けて内槽底１０２の径方向に移動し、排水口１０を開放する。好ましくは、各排水口１０は内槽底１０２の中心に対し対称に配置される。これにより、内槽底１０２の中心が重心と重なるため、内槽１の偏移が回避される。
【００５２】
本実施例において、内槽底１０２には弁体９２を装着するための装着ベース９７が設けられている。前記装着ベース９７は、内槽底１０２の平行な面に沿って延伸する位置規制室９０を含む。前記弁体９２は、内槽底１０２の平行な面に沿って移動可能に位置規制室９０内に設けられ、前記排水口１０はこれに対向するように位置規制室９０内に設けられるため、弁体９２が閉止することで対応する排水口１０が閉塞される。好ましくは、弁体９２が閉状態となったときに対応する排水口１０が閉塞されるよう、排水口１０は位置規制室に重ねて設置される。上記のように設けることで、バルブコアは内槽底に設けられた位置規制室内で移動するが、位置規制室の影響で、室内の軸方向にのみ伸縮変位可能である。これにより、内槽の高速回転に伴う遠心力の作用を受けた場合に、バルブコアが位置規制室の軸方向に沿って伸縮移動し、位置規制室端部の排水口を開閉するとともに、弁体の離脱による傾きを防止するよう保証している。
【００５３】
本実施例において、前記シールバルブ９の弁体９２及び／又は第１接続ロッド９５及び／又は第２接続ロッド９６は、弾性復元部材を介して内槽底１０２に接続される。これにより、弁体９２に弾性力を付与して押動し、対応する排水口１０を閉止させる。また、内槽１の高速回転時には、遠心力が弾性復元部材の弾性力に抗して弁体９２を移動させ、排水口１０を開放する。シールバルブ９に弾性復元部材を設けることで、初期状態時には弁体９２を閉位置に位置させて排水口１０を閉塞するよう保証する。且つ、シールバルブ９が遠心力の作用を受けて開放されたあと、洗濯機が脱水プログラムの実行を停止したときには、弁体９２が弾性復元部材に引っ張られて初期状態の閉位置へと戻り、排水口１０を閉塞する。これにより、洗濯機が洗浄プログラム及びすすぎプログラムを実行する際に内槽１が密閉容器となるよう保証されるため、洗浄水又はすすぎ水の流出が回避される。
【００５４】
本実施例において、前記弾性復元部材はバネ９１１とする。バネ９１１は一端が第２接続ロッド９６に接続され、他端が内槽底１０２に設けられた装着ベース９７の中心部に固定される。カウンタウェイト９１はバネ９１１の引張力の作用を受けて、装着ベース９７から離間する方向への移動が規制される。これにより弁体９２は移動が規制され、排水口１０を閉塞する。より好ましくは、前記バネ９１１は、一端が第２接続ロッド９６のうちカウンタウェイト９１とのヒンジ接続端寄りに接続され、他端が装着ベース９７の中心部の中央に固定接続される。
【００５５】
本実施例において、突出リブ９１０と弁体９２はそれぞれ中心部の両側に位置し、弁体９２の移動方向は突出リブ９１０の延伸方向と交差するよう設定される。また、第１接続ロッド９５と第２接続ロッド９６はいずれも中心部の同じ側に位置する。
【００５６】
本実施例において、好ましくは、カウンタウェイト９１は中心部に対し内槽底１０２の外周寄りに設けられる。これにより、カウンタウェイト９１は、遠心力の作用を受けて内槽１の外周方向に移動する際に、第２接続ロッド９６を介して弁体９２を引っ張って移動させ、シールバルブ９の弁体９２を開放することで排水口１０を開放する。
【００５７】
好ましくは、本実施例において、カウンタウェイト９１に対する遠心力の作用に最大限抗するよう、バネ９１１は内槽底１０２の径方向に延伸する。これにより、バネ９１１の伸縮方向と、カウンタウェイト９１が遠心力を受けた際の移動方向とが平行になるよう保証して、カウンタウェイト９１に対するバネ９１１の引張力の作用を最大化する。
【００５８】
本実施例では、図７に示すように、洗濯機が脱水状態になると、内槽１が高速回転状態となり、カウンタウェイト９１が遠心力の作用を受けて内槽１の外周に向かって移動する。また、ヒンジ接続される第１接続ロッド９５及び第２接続ロッド９６により位置規制されつつ、カウンタウェイト９１は所定の軌道方向に沿って移動する。且つ、カウンタウェイト９１は、第１接続ロッド９５を介して弁体９２を引っ張って移動させる。弁体９２にかかるカウンタウェイト９１の遠心力はバネ９１１の弾性力に抗し、弁体９２を内槽底１０２の平行な面において変位させ、シールバルブを開放する。また、図６に示すように、洗濯機が脱水状態でない場合、内槽１は高速回転状態にはならない。よって、カウンタウェイト９１は遠心力の作用を受けず、バネ９１１が引張状態となって、弁体９２に対し内槽底１０２の外周方向へ向かう押動力を付与する。これにより、弁体９２は初期位置に向かってシールバルブを閉止するまで移動する。且つ、内槽１が洗浄又はすすぎプログラムの場合、バネ９１１は常に弁体９２に対し弾性力を付与する。これにより、弁体９２が排水口１０を終始閉塞するよう保証することで、内槽底１０２における排水口１０が常に閉状態となるよう保証する。
【実施例３】
【００５９】
本発明の実施例では、洗濯機の内槽１内の衣類から離脱した水流を排出するとともに、洗濯機の動作過程において、内槽１を密封して貯水することで正常な洗浄を行うべく、以下のように設置する。
【００６０】
図８〜図１０に示すように、本実施例では洗濯機について説明する。洗濯機の内槽１は、扉４が内槽の槽口１０１に閉合された場合に密閉される容器である。内槽１の側壁には複数のリフティングリブ８が設けられている。リフティングリブ８の内部は中空であり、内槽１の内部と連通している。内槽１の側壁には、リフティングリブ８の中空部と連通する少なくとも１つの排水口１０が設けられており、排水口１０には、リフティングリブ８の内部に位置するシールバルブ９が設けられている。内槽１が高速回転する際、シールバルブ９の弁体９２は遠心力の作用によって内槽１の径方向の中心方向に向かって移動し、内槽１の側壁に設けられる排水口１０を開放する。
【００６１】
上記のように設けることで、内槽のリフティングリブの内部に排水口を隠匿して設置可能とし、隠匿された排水口から内槽内の水流を排出するとの目的を達成している。且つ、排水口にシールバルブを設け、内槽の高速回転時の遠心力を利用してシールバルブのバルブコアを制御することで排水口の開閉を実現する。これにより、洗濯機が脱水プログラムを実行する際に、内槽の高速回転時の遠心力がシールバルブのバルブコアに作用することで、排水口が自動的に内槽を開放し、排水するとの目的が達せられる。
【００６２】
本実施例では、リフティングリブ８の内部が中空であり、リフティングリブ８の底部と内槽１の側壁との接続箇所に隙間が設けられている。前記隙間は、リフティングリブ８内部の中空部と内槽１の内部とを連通する水流経路を構成している。これにより、水流経路を通じて内槽１内の水流をリフティングリブ８の中空部に流入可能にするとの目的が実現される。
【００６３】
本実施例では、リフティングリブ８の中空部に対応する内槽１の側壁に少なくとも１つの排水口１０が設けられている。前記排水口１０は、リフティングリブ８の中空部に流入した洗浄水が排水口１０を通じて排出されるよう、リフティングリブ８の中空部と外部とを連通させる。且つ、排水口１０には、排水口１０を制御可能に開閉するよう、シールバルブ９がそれぞれ対応して設けられる。これにより、リフティングリブ８の中空部に流入した水流は、シールバルブ９の働きによって開閉可能な排水口１０から流出する。
【００６４】
本実施例において、前記シールバルブ９は弁体９２とカウンタウェイト９１を含む。弁体９２とカウンタウェイト９１は、支持ロッド９４の両端にそれぞれ固定接続される。また、支持ロッド９４の中央部は内槽１に支持されるよう接触している。これにより、内槽１の高速回転時に、カウンタウェイト９１は遠心力の作用を受けて内槽１の径方向に沿って上下に移動しつつ、支持ロッド９４を介して、弁体９２を内槽１の径方向且つカウンタウェイト９１の運動方向とは反対方向に変位させる。
【００６５】
排水口に前記シールバルブを設置することで、内槽の高速回転時にカウンタウェイトが遠心力の作用を受けて内槽の外周方向へと移動する。これにより、支持ロッドの支点が下方に動作してバルブコアが上方へと移動し、バルブコアが移動することで排水口が開放される結果、遠心力を利用して排水口を開放するとの目的が達せられる。
【００６６】
本実施例において、前記支持ロッド９４は、交差するよう設けられる第１ロッド部９４１と第２ロッド部９４２を含む。第１ロッド部９４１と第２ロッド部９４２の接続箇所は、支持ロッドの両端よりも低くなるよう設けられる。且つ、第１ロッド部９４１と第２ロッド部９４２の接続箇所は内槽１に支持されるよう接触している。これにより、支持ロッド９４の両端に設置される弁体９２とカウンタウェイト９１は、接続箇所周りに上下に回転移動する。支持ロッドを上記の構造とすることで、弁体とカウンタウェイトは支持ロッドを介して「シーソー」のような構造を構成する。これにより、カウンタウェイトが遠心力の作用を受けると弁体が反対方向に移動し、遠心力によりシールバルブのバルブコアを自動で開放するとの目的が実現される。
【００６７】
本実施例において、第１ロッド部９４１の端部は弁体９２にヒンジ接続され、第２ロッド部９４２の端部はカウンタウェイト９１に固定接続される。また、第１ロッド部９４１の軸方向の長さは第２ロッド部９４２の軸方向の長さよりも短い。第１ロッド部の長さを第２ロッド部の長さよりも短くすることで、カウンタウェイトが広範囲を動かなければ弁体を開放できないようにしている。これにより、構造全体の制御精度が著しく向上する。且つ、カウンタウェイトに小さな外力を付与するだけで、バルブコアに対し大きな作用力を付与可能である。よって、弁体が移動して排水口を開放する際の作用力の強さが小さくなる。
【００６８】
本実施例では、前記リフティングリブ８の中空部に装着ベース９７が設けられている。装着ベース９７は内槽１の側壁に固定され、シールバルブ９の弁体９２が内槽１の径方向に移動可能に装着ベース９７に装着される。弁体９２の一端は装着ベース９７を貫通して支持ロッドの端部に接続される。また、弁体９２の他端は内槽１の側壁に設けられた排水口１０に対応するよう設置される。
【００６９】
本実施例において、前記装着ベース９７は、排水口１０に対応して同軸に設置される錐体である。錐体の内部は、弁体９２を装着するために中空となっている。弁体９２の上端は錐体の天井部を貫通して支持ロッド９４にヒンジ接続される。また、下端は排水口１０に対応してこれを密封する止栓９２１となっている。好ましくは、止栓が装着ベース９７から抜け落ちないよう、錐体の天井部における開口の直径は止栓９２１の外周の直径よりも小さくなっている。より好ましくは、支持ロッド９４と錐体の天井面との接触箇所が支点となり、支持ロッド９４の端部のカウンタウェイト９１が支点周りに上下に移動可能となるよう、支持ロッド９４の接続箇所が錐体の天井部に位置規制されるよう接触している。
【００７０】
内槽の側壁にリフティングリブの中空部に向かって延伸する装着ベースを設け、内槽の側壁から一定の高さを隔てた装着ベースの天井部に支持ロッドを装着することで、支持ロッドの端部と内槽の側壁との間に一定の高低差を持たせることができる。これにより、支持ロッドが下方に移動する際に弁体を動作させるための変位スペースを提供するとの目的が実現される。
【００７１】
本実施例において、前記シールバルブ９の弁体９２及び／又は支持ロッド９４は、弾性復元部材を介して内槽１に接続される。これにより、弁体９２に弾性力を付与して押動し、対応する排水口１０を閉止させる。また、内槽１の高速回転時には、遠心力が弾性復元部材の弾性力に抗して弁体９２を移動させ、排水口１０を開放する。シールバルブ９に弾性復元部材を設けることで、初期状態時には弁体９２を閉位置に位置させて排水口１０を閉塞するよう保証する。且つ、シールバルブ９が遠心力の作用を受けて開放されたあと、洗濯機が脱水プログラムの実行を停止したときには、弁体９２が弾性復元部材に引っ張られて初期状態の閉位置へと戻り、排水口１０を閉塞する。これにより、洗濯機が洗浄プログラム及びすすぎプログラムを実行する際に内槽１が密閉容器となるよう保証されるため、洗浄水又はすすぎ水の流出が回避される。
【００７２】
好ましくは、前記弾性復元部材はバネ９１１とする。バネ９１１は弁体９２の外周に覆設されて内槽１の径方向に延伸する。バネ９１１の両端は、弁体９２の止栓と装着ベース９７の先端にそれぞれ位置規制されるよう接触する。これにより、バネ９１１は弁体９２と装着ベース９７の間にしっかりと挟持される。
【００７３】
好ましくは、本実施例において、リフティングリブ８は内槽１の軸方向に沿って延伸している。リフティングリブ８の中空部の前後両端には少なくとも１つの排水口１０がそれぞれ設けられ、各排水口１０にシールバルブ９がそれぞれ対応するよう装着される。２つのシールバルブ９のカウンタウェイト９１は、いずれも対応する排水口１０に対して内槽１の中心方向に偏移している。また、リフティングリブ両端のシールバルブに設けられるカウンタウェイトを向かい合うよう設置することで、内槽の重心が中央部に位置するため、内槽の回転時における安定性が向上する。
【００７４】
本実施例では、図１０に示すように、洗濯機が脱水状態の場合に内槽１が高速回転状態になると、内槽１内の水が遠心力の作用を受けて内壁に密着しつつ流動し、内槽１の壁とリフティングリブ８の間の隙間からリフティングリブ８の内部に流れ込む。このとき、カウンタウェイト９１は遠心力の作用を受けて内槽１の外周に向かって移動する。且つ、カウンタウェイト９１は、支持ロッド９４を介して弁体９２に内槽１の中心方向に向かう上方への作用力を付与する。弁体９２にかかるカウンタウェイト９１の遠心力はバネ９１１の弾性力に抗し、弁体９２を内槽１の径方向に変位させ、排水口１０を開放する。また、図９に示すように、洗濯機が脱水状態でない場合、内槽１は高速回転状態にはならない。よって、カウンタウェイト９１は遠心力の作用を受けず、バネ９１１は引張状態となって、弁体９２に対し内槽底１０２の外周方向へ向かう押動力を付与する。これにより、弁体９２は初期位置に向かって排水口１０を閉止するまで移動する。且つ、内槽１が洗浄又はすすぎプログラムの場合、バネ９１１は常に弁体９２に対し弾性力を付与する。これにより、弁体９２が排水口１０を終始閉塞するよう保証することで、内槽底１０２における排水口１０が常に閉状態となるよう保証する。
【実施例４】
【００７５】
本発明の実施例では、洗濯機の内槽１内の衣類から離脱した水流を排出するとともに、洗濯機の動作過程において、内槽１を密封して貯水することで正常な洗浄を行うべく、以下のように設置する。
【００７６】
図１１〜図１３に示すように、本実施例では洗濯機について説明する。洗濯機の内槽１は、扉４が内槽の槽口１０１に閉合された場合に密閉される容器である。内槽１は、内槽底１０２側の一端と内槽の槽口１０１側の一端の大きさが異なるテーパー状の槽である。内槽１の側壁には複数のリフティングリブ８が設けられている。リフティングリブ８の内部は中空であり、内槽１の内部と連通している。内槽１の側壁には、リフティングリブ８の中空部と連通する少なくとも１つの排水口１０が設けられている。排水口１０は内槽１の大径端寄りの側に設けられる。また、排水口１０にはリフティングリブ８の内部に位置するシールバルブ９が設けられている。内槽１が高速回転する際、シールバルブ９の弁体９２は遠心力の作用によって内槽１の径方向の中心方向に向かって移動し、内槽１の側壁に設けられる排水口１０を開放する。
【００７７】
上記のように設けることで、内槽のリフティングリブの内部に排水口を隠匿して設置可能とし、隠匿された排水口から内槽内の水流を排出するとの目的を達成している。且つ、排水口にシールバルブを設け、内槽の高速回転時の遠心力を利用してシールバルブのバルブコアを制御することで排水口の開閉を実現する。これにより、洗濯機が脱水プログラムを実行する際に、内槽の高速回転時の遠心力がシールバルブのバルブコアに作用することで、排水口が自動的に内槽を開放し、排水するとの目的が達せられる。
【００７８】
本実施例では、前記リフティングリブ８が内槽１の軸線方向に延伸している。リフティングリブ８の第１端部は内槽１の大径端まで延伸しており、内槽１の側壁の排水口１０はいずれもリフティングリブ８の第１端部に設けられる。好ましくは、排水口１０の軸線は内槽１の軸と平行に設けられる。内槽を一端が大きく、一端が小さいテーパー状の槽とすることで、内槽の高速回転時に内槽内の水が遠心力の作用を受けて大径端に集約するよう流動し、大径端に設けられた排水口から流出する。これにより、内槽内の水流が内槽の高速脱水時に遠心力の作用を受けて全て排出される。よって、洗濯機が脱水プログラムを実行する際に、内槽内の衣類から振り出された水流が全て排出され、内槽内に水が残留するとの事態が回避される。
【００７９】
本実施例では、リフティングリブ８の内部が中空であり、リフティングリブ８の底部と内槽１の側壁との接続箇所に隙間が設けられている。前記隙間は、リフティングリブ８内部の中空部と内槽１の内部とを連通する水流経路を構成している。これにより、水流経路を通じて内槽１内の水流をリフティングリブ８の中空部に流入可能にするとの目的が実現される。
【００８０】
本実施例では、リフティングリブ８の中空部に対応する内槽１の側壁に少なくとも１つの排水口１０が設けられている。前記排水口１０は、リフティングリブ８の中空部に流入した洗浄水が排水口１０を通じて排出されるよう、リフティングリブ８の中空部と外部とを連通させる。好ましくは、各排水口１０は内槽１の軸線に対し対称に配置される。これにより、内槽１の中心と重心が重なるため、内槽１の回転時における偏心移動が回避される。
【００８１】
本実施例において、前記シールバルブ９は弁体９２とカウンタウェイト９１を含む。弁体９２とカウンタウェイト９１は支持ロッドの両端にそれぞれ固定接続される。また、支持ロッドの中央部は内槽１に支持されるよう接触している。これにより、内槽１の高速回転時に、カウンタウェイト９１は遠心力の作用を受けて内槽１の径方向に沿って上下に移動しつつ、支持ロッドを介して、弁体９２を内槽１の径方向且つカウンタウェイト９１の運動方向とは反対方向に変位させる。
【００８２】
本実施例において、前記支持ロッド９４は、交差するよう設けられる第１ロッド部９４１と第２ロッド部９４２を含む。第１ロッド部９４１と第２ロッド部９４２の接続箇所は、支持ロッドの両端よりも低くなるよう設けられる。且つ、第１ロッド部９４１と第２ロッド部９４２の接続箇所は内槽１に支持されるよう接触している。これにより、支持ロッドの両端に設置される弁体９２とカウンタウェイト９１は、接続箇所周りに上下に回転移動する。好ましくは、第１ロッド部９４１の端部は弁体９２にヒンジ接続され、第２ロッド部９４２の端部はカウンタウェイト９１に固定接続される。また、第１ロッド部の軸方向の長さは第２ロッド部の軸方向の長さよりも短い。
【００８３】
本実施例では、前記リフティングリブ８の中空部に装着ベース９７が設けられている。装着ベース９７は内槽１の側壁に固定され、シールバルブ９の弁体９２が内槽１の径方向に移動可能に装着ベース９７に装着される。弁体９２の一端は装着ベース９７を貫通して支持ロッドの端部に接続される。また、弁体９２の他端は内槽１の側壁に設けられた排水口１０に対応するよう設置される。
【００８４】
本実施例において、前記装着ベース９７は排水口１０に対応して同軸に設置される錐体である。錐体の内部は、弁体９２を装着するために中空となっている。弁体９２の上端は錐体の天井部を貫通して支持ロッドにヒンジ接続される。また、下端は排水口１０に対応してこれを密封する止栓となっている。好ましくは、止栓が装着ベース９７から抜け落ちないよう、錐体の天井部における開口の直径は止栓９２１の外周の直径よりも小さくなっている。より好ましくは、支持ロッドと錐体の天井面との接触箇所が支点となり、支持ロッドの端部のカウンタウェイト９１が支点周りに上下に移動可能となるよう、支持ロッド９４の接続箇所が錐体の天井部に位置規制されるよう接触している。
【００８５】
本実施例において、好ましくは、錐体内部の中空領域を密封室とする。これにより、リフティングリブ８の中空部の水流が装着ベース９７から排水口１０に流出する際に、装着ベース９７の内部に構成される流路の両端に圧力差が形成される。そのため、圧力差の作用でリフティングリブ８内部の水流にサイフォン効果が生じ、リフティングリブ８内部の水流が全て排水口１０から排出される。
【００８６】
本実施例において、前記シールバルブ９の弁体９２及び／又は支持ロッド９４は、弾性復元部材を介して内槽１に接続される。これにより、弁体９２に弾性力を付与して押動し、対応する排水口１０を閉止させる。また、内槽１の高速回転時には、遠心力が弾性復元部材の弾性力に抗して弁体９２を移動させ、排水口１０を開放する。シールバルブに弾性復元部材を設けることで、初期状態時には弁体を閉位置に位置させて排水口を閉塞するよう保証する。且つ、シールバルブが遠心力の作用を受けて開放されたあと、洗濯機が脱水プログラムの実行を停止したときには、バルブコアが弾性復元部材に引っ張られて初期状態の閉位置へと戻り、排水口を閉塞する。これにより、洗濯機が洗浄プログラム及びすすぎプログラムを実行する際に内槽が密閉容器となるよう保証されるため、洗浄水又はすすぎ水の流出が回避される。
【００８７】
好ましくは、本実施例において、前記弾性復元部材はバネ９１１とする。バネ９１１は弁体９２の外周に覆設されて内槽１の径方向に延伸する。バネ９１１の両端は、弁体９２の止栓と装着ベース９７の先端にそれぞれ位置規制されるよう接触する。これにより、バネ９１１は弁体９２と装着ベース９７の間にしっかりと挟持される。
【００８８】
本実施例において、シールバルブ９のカウンタウェイト９１は、対応する排水口１０に対して内槽１の中心方向に偏移している。これにより、内槽１の重量が全て内槽１の後部に集中することを回避し、内槽１の中心を前方に移動させることで内槽１の回転時の安定性を向上させる。
【００８９】
本実施例では、図１３に示すように、洗濯機が脱水状態の場合に内槽１が高速回転状態になると、内槽１内の水が遠心力の作用を受けて内壁に密着しつつ流動し、内槽１の壁とリフティングリブ８の間の隙間からリフティングリブ８の内部に流れ込んだあと、内槽１の壁に沿って内槽１の大径端に集約するよう流動する。このとき、カウンタウェイト９１は遠心力の作用を受けて内槽１の外周に向かって移動する。且つ、カウンタウェイト９１は、支持ロッドを介して弁体９２に内槽１の中心方向に向かう上方への作用力を付与する。弁体９２にかかるカウンタウェイト９１の遠心力はバネ９１１の弾性力に抗し、弁体９２を内槽１の径方向に変位させ、排水口１０を開放する。また、図１２に示すように、洗濯機が脱水状態でない場合、内槽１は高速回転状態にはならない。よって、カウンタウェイト９１は遠心力の作用を受けず、バネ９１１は引張状態となって、弁体９２に対し内槽底１０２の外周方向へ向かう押動力を付与する。これにより、弁体９２は初期位置に向かって排水口１０を閉止するまで移動する。且つ、内槽１が洗浄又はすすぎプログラムの場合、バネ９１１は常に弁体９２に対し弾性力を付与する。これにより、弁体９２が排水口１０を終始閉塞するよう保証することで、内槽底１０２における排水口１０が常に閉状態となるよう保証する。
【実施例５】
【００９０】
本発明の実施例では、洗濯機の内槽１内の衣類から離脱した水流を排出するとともに、洗濯機の動作過程において、内槽１を密封して貯水することで正常な洗浄を行うべく、以下のように設置する。
【００９１】
図１４〜図１６に示すように、本実施例では洗濯機について説明する。洗濯機の内槽１は、扉４が内槽の槽口１０１に閉合された場合に密閉される容器である。内槽１は、内槽底１０２側の一端と槽口側の一端の大きさが異なるテーパー状の槽である。内槽１の側壁には複数のリフティングリブ８が設けられている。リフティングリブ８の内部は中空であり、内槽１の内部と連通している。内槽１の大径端部には、リフティングリブ８の中空部と連通する少なくとも１つの排水口１０が設けられており、排水口１０にはリフティングリブ８の内部に位置するシールバルブ９が設けられている。内槽１が高速回転する際、シールバルブ９の弁体９２は遠心力の作用によって内槽１の軸方向に内槽１の中心方向へと移動して、内槽１の端部に設けられる排水口１０を開放する。
【００９２】
上記のように設けることで、内槽１のリフティングリブ８の内部に排水口１０を隠匿して設置可能とし、隠匿された排水口１０から内槽１内の水流を排出するとの目的を達成している。且つ、リフティングリブ８の端部における内槽１の大径端に排水口１０を設けるとともに、排水口１０にシールバルブ９を設け、内槽１の高速回転時の遠心力を利用してシールバルブ９の弁体９２を制御することで排水口１０の開閉を実現する。これにより、洗濯機が脱水プログラムを実行する際に、内槽１の高速回転時の遠心力がシールバルブ９の弁体９２に作用することで排水口１０が自動的に開放されるとともに、内槽１内の水が遠心力の作用を受けて大径端に集約するよう流動し、リフティングリブ８内部に設けられた排水口１０からサイフォン作用で排水されるとの目的を達成している。
【００９３】
本実施例において、内槽１の大径端には複数の排水口１０が設けられている。各排水口１０は、内槽１の軸心に対して対称に配置される。且つ、前記排水口１０は内槽１の大径端の外周箇所に設けられる。
【００９４】
本実施例において、前記シールバルブ９は弁体９２とカウンタウェイト９１を含む。弁体９２とカウンタウェイト９１は支持ロッドの両端にそれぞれ固定接続される。また、支持ロッドの中央部は内槽１に支持されるよう接触している。これにより、内槽１の高速回転時に、カウンタウェイト９１は遠心力の作用を受けて内槽１の径方向に沿って上下に移動しつつ、支持ロッドを介して、弁体９２を内槽１の軸方向に伸縮変位させる。
【００９５】
本実施例において、前記支持ロッド９４は、交差するよう設けられる第１ロッド部９４１と第２ロッド部９４２を含む。第１ロッド部９４１と第２ロッド部９４２の接続箇所は、支持ロッド９４の両端よりも低くなるよう設けられる。且つ、第１ロッド部９４１と第２ロッド部９４２の接続箇所は内槽１に支持されるよう接触している。これにより、支持ロッドの両端に設置される弁体９２とカウンタウェイト９１は、接続箇所周りに上下に回転移動する。好ましくは、第１ロッド部９４１の端部は弁体９２にヒンジ接続され、第２ロッド部９４２の端部はカウンタウェイト９１に固定接続される。また、第１ロッド部９４１の軸方向の長さは第２ロッド部９４２の軸方向の長さよりも短い。
【００９６】
本実施例では、前記リフティングリブ８の中空部に装着ベース９７が設けられている。装着ベース９７は内槽１の側壁に固定される。また、装着ベース９７の軸線は内槽１の軸方向に延伸し、弁体９２は内槽１の軸方向に伸縮移動するよう装着ベース９７に装着される。弁体９２の一端は装着ベース９７を貫通して支持ロッドの端部に接続される。また、弁体９２の他端は内槽１の端部に設けられる排水口１０に対応するよう設置される。
【００９７】
本実施例において、好ましくは、装着ベース９７内部の中空領域を密封室とする。これにより、リフティングリブ８の中空部の水流が装着ベース９７から排水口１０に流出する際に、装着ベース９７の内部に構成される流路の両端に圧力差が形成される。そのため、圧力差の作用でリフティングリブ８内部の水流にサイフォン効果が生じ、リフティングリブ８内部の水流が全て排水口１０から排出される。
【００９８】
本実施例において、前記装着ベース９７は内槽１の側壁の構成線に沿って延伸する。前記内槽１の構成線は、内槽１の軸線周りに３６０度回転することで、内槽１のテーパー状の側壁の線分を構成する。装着ベース９７の第１端は対応する排水口１０に応じて設けられ、第２端には弁体９２の端部が挿通及び装着される。弁体９２の一端は装着ベース９７の第１端を貫通して支持ロッドにヒンジ接続される。また、他端には、排水口１０に対応してこれを密封する止栓９２１が設けられている。好ましくは、装着ベース９７の第１端には弁体９２を挿通するための開口が設けられている。開口の直径は、止栓が装着ベース９７から抜け落ちないよう、止栓の外周の直径よりも小さくなっている。より好ましくは、支持ロッド９４と内槽１の側壁との接触箇所が支点となり、支持ロッド９４の端部のカウンタウェイト９１が支点周りに上下に移動して弁体９２をスライド変位させるよう、支持ロッド９４の接続箇所が内槽１の側壁に位置規制されるよう接触している。
【００９９】
本実施例において、前記シールバルブ９の弁体９２及び／又は支持ロッド９４は、弾性復元部材を介して内槽１に接続される。これにより、弁体９２に弾性力を付与して押動し、対応する排水口１０を閉止させる。また、内槽１の高速回転時には、遠心力が弾性復元部材の弾性力に抗して弁体９２を移動させ、排水口１０を開放する。シールバルブに弾性復元部材を設けることで、初期状態時には弁体を閉位置に位置させて排水口を閉塞するよう保証する。且つ、シールバルブが遠心力の作用を受けて開放されたあと、洗濯機が脱水プログラムの実行を停止したときには、バルブコアが弾性復元部材に引っ張られて初期状態の閉位置へと戻り、排水口を閉塞する。これにより、洗濯機が洗浄プログラム及びすすぎプログラムを実行する際に内槽が密閉容器となるよう保証されるため、洗浄水又はすすぎ水の流出が回避される。
【０１００】
好ましくは、本実施例において、前記弾性復元部材はバネ９１１とする。バネ９１１は弁体９２の外周に覆設されて装着ベース９７の軸方向に延伸する。バネ９１１の両端は、弁体９２の止栓と装着ベース９７の第１端にそれぞれ位置規制されるよう接触する。これにより、バネ９１１は弁体９２と装着ベース９７の間にしっかりと挟持される。
【０１０１】
本実施例において、シールバルブ９のカウンタウェイト９１は、対応する排水口１０に対して内槽１の中心方向に偏移している。これにより、内槽１の重心全体が前方へ移動するため、内槽１の重心が後部に集中して内槽１が後傾するとの事態が回避される。
【０１０２】
本実施例では、前記リフティングリブ８が内槽１の軸線方向に延伸している。リフティングリブ８の第１端部は内槽１の大径端まで延伸しており、内槽１の側壁の排水口１０はいずれもリフティングリブ８の第１端部における中空箇所に設けられる。好ましくは、内槽１は、内槽底１０２側の一端の直径が内槽の槽口１０１側の一端の直径よりも大きなテーパー状の槽である。リフティングリブ８は内槽底１０２側の一端まで延伸しており、リフティングリブ８内部の中空部の端部が内槽底１０２により直接構成される。且つ、内槽底１０２の対応部分には、リフティングリブ８の中空部と連通する排水口１０が設けられている。
【０１０３】
本実施例では、リフティングリブ８の内部が中空であり、リフティングリブ８の底部と内槽１の側壁との接続箇所に隙間が設けられている。前記隙間は、リフティングリブ８内部の中空部と内槽１の内部とを連通する水流経路を構成している。これにより、内槽１内の水流を隙間からリフティングリブ８の中空部に流入させる。
【０１０４】
本実施例では、図１６に示すように、洗濯機が脱水状態の場合に内槽１が高速回転状態になると、内槽１内の水が遠心力の作用を受けて内壁に密着しつつ流動し、内槽１の壁とリフティングリブ８の間の隙間からリフティングリブ８の内部に流れ込んだあと、内槽１の壁に沿って内槽１の大径端に集約するよう流動する。このとき、カウンタウェイト９１は遠心力の作用を受けて内槽１の外周に向かって移動する。且つ、カウンタウェイト９１は、支持ロッドを介して弁体９２に内槽１の中心方向に向かう引張力を付与する。弁体９２にかかるカウンタウェイト９１の遠心力はバネ９１１の弾性力に抗し、弁体９２を内槽１の軸方向において変位させ、排水口１０を開放する。また、図１５に示すように、洗濯機が脱水状態でない場合、内槽１は高速回転状態にはならない。よって、カウンタウェイト９１は遠心力の作用を受けず、バネ９１１は引張状態となって、弁体９２に対し内槽底１０２の方向へ向かう押動力を付与する。これにより、弁体９２は初期位置に向かって排水口１０を閉止するまで移動する。且つ、内槽１が洗浄又はすすぎプログラムの場合、バネ９１１は常に弁体９２に対し弾性力を付与する。これにより、弁体９２が排水口１０を終始閉塞するよう保証することで、内槽底１０２における排水口１０が常に閉状態となるよう保証する。
【実施例６】
【０１０５】
本発明の実施例では、洗濯機の内槽１内の衣類から離脱した水流を排出するとともに、洗濯機の動作過程において、内槽１を密封して貯水することで正常な洗浄を行うべく、上記実施例３〜５を元に、内槽１内の水が円滑にリフティングリブ８の中空部に流れ込んでリフティングリブ８の中空部に設けられた排水口１０から排出されるよう、以下のように設置する。
【０１０６】
図１７に示すように、本実施例では、洗濯機用の内槽１のリフティングリブ８について説明する。リフティングリブ８の内部は中空となっている。また、リフティングリブ８の中空部と内槽１の内部を連通するために、リフティングリブ８には複数の貫通孔が設けられている。リフティングリブ８の中空部には、内槽１の開口端から内槽底１０２側の端部まで延伸するガードプレート８１が設けられている。ガードプレート８１は、リフティングリブ８の中空部を互いに独立した２つの部分に分割する。
【０１０７】
内槽のリフティングリブの中空部に分割用のガードプレートを設けることで、内槽内の洗浄水は、リフティングリブの中空部に流れ込んだあと、ガードプレートに妨げられてリフティングリブの内部に残留する。リフティングリブの中空部に残留した水は、ガードプレートに沿ってリフティングリブの中空部に設けられた排水口まで流動する。そして、内槽の高速回転による脱水時にシールバルブが開放されることで、水流が排水口から排出される。これにより、内槽のリフティングリブの中空部に排水口を設け、内槽内の水流を円滑に排出するとの目的が実現される。
【０１０８】
本実施例において、ガードプレート８１は内槽１の側壁の構成線と交差して一定の角度だけ傾斜するよう設けられるため、内槽１の回転時に、水流は傾斜したガードプレート８１に案内されて、ガードプレート沿いに流動する。これにより、リフティングリブ８の中空部に残留した水がガードプレート８１に沿って排水口１０へと流動するため、残留水が円滑に排出される。
【０１０９】
本実施例では、リフティングリブ８の側壁に複数の貫通孔が設けられている。各貫通孔は２つの部分に分けられ、それぞれが、リフティングリブ８の中空部においてガードプレート８１により分割される２つの独立した空間に対応して連通している。よって、内槽１内の残留水は貫通孔を通じて円滑にリフティングリブ８の内部に流入可能である。好ましくは、リフティングリブ８と内槽１の側壁の間には一定の隙間が隔てられている。これにより、内槽１において内槽１の壁に密着しつつ流動する残留水は、隙間から円滑に内槽１のリフティングリブ８に流れ込む。
【０１１０】
本実施例において、洗濯機の内槽１は、内槽底１０２側の一端と内槽の槽口１０１側の一端の大きさが異なるテーパー状の槽である。内槽１の側壁には複数のリフティングリブ８が設けられており、各リフティングリブ８は内槽１の槽口端から内槽底１０２側の端部まで延伸している。また、内槽１の大径端には、リフティングリブ８の内部空間と連通する排水口１０が設けられている。排水口１０には、リフティングリブ８の内部に位置するシールバルブ９が設けられている。内槽１が高速回転する際、シールバルブ９の弁体９２は遠心力の作用によって内槽１の軸方向に内槽１の中心方向へと移動して、内槽１の端部に設けられる排水口１０を開放する。好ましくは、内槽底１０２の直径を槽口端の直径よりも大きくし、排水口１０を内槽底１０２に設けるとともに、内槽底１０２の外周に沿って均一に配置する。
【０１１１】
本実施例において、リフティングリブ８内部の中空部における第１室８２は、内槽１の大径端に設けられる排水口１０に対応して連通している。また、リフティングリブ８内部の中空部における第２室８３と内槽１の大径端に設けられる排水口１０はガードプレートにより隔離されている。これにより、排水口１０を第１室８２の大きい側の横断面箇所に設け、リフティングリブ８内部の残留水をガードプレートに沿って第１室８２の大きい側の横断面端に向かって流動させる。そして、第１室８２の大きい側の横断面端における排水口１０から円滑に排出することで、排水の円滑性を高めるとの目的を実現する。
【０１１２】
本実施例において、洗濯機の脱水時には内槽１が同一方向に高速回転する。リフティングリブ８の中空部の第１室８２は、第２室８３よりも洗濯機の脱水時における内槽１の回転方向側に位置している。そのため、洗濯機の脱水プログラム時に内槽１が一方向に回転する際には、内槽１のリフティングリブ８における第１室８２側が内槽１下部の水流と接触する撹水面となる。内槽１内の水流は内槽１の一方向の回転に伴って第１室８２へと流れ込み、第１室８２の端部の排水口１０から排出される。
【０１１３】
本実施例において、第１室８２は、一端の横断面が他端のテーパー状の空間よりも大きくなっている。第１室８２の大きい側の横断面端は内槽１の大径端に設けられている。また、内槽１の端部に設けられる排水口１０は、第１室８２の大きい側の横断面端と連通している。
【０１１４】
本実施例において、リフティングリブ８における内槽１の大径端との接続箇所には複数の貫通孔が設けられており、接続箇所に設けられる少なくとも一部の貫通孔がリフティングリブ８の中空部における第１室８２と連通している。これにより、内槽１の大径端の残留水が貫通孔からリフティングリブ８の中空部に流れ込むよう案内されるため、内槽１内の水流が円滑に排出される。
【０１１５】
本実施例では、更に洗濯機について説明する。洗濯機の内槽１は、扉４が内槽の槽口１０１に閉合された場合に密閉される容器である。内槽１は、内槽底１０２側の一端と内槽の槽口１０１側の一端の大きさが異なるテーパー状の槽である。内槽１の側壁には、上記いずれかのリフティングリブ８が複数設けられている。
【０１１６】
本実施例において、前記内槽１は、内槽底１０２側の一端の直径が内槽の槽口１０１側の一端の直径よりも大きい。内槽底１０２には、各リフティングリブ８それぞれに一対一で連通する排水口１０が設けられている。また、各排水口１０には、リフティングリブ８の内部に位置するシールバルブ９がそれぞれ設けられている。内槽１が高速回転する際、シールバルブ９の弁体９２は遠心力の作用によって内槽１の軸方向に内槽１の中心方向へと移動して、内槽１の端部に設けられる排水口１０を開放する。
【実施例７】
【０１１７】
本発明の実施例では、洗濯機の内槽１内の衣類から離脱した水流を排出するとともに、洗濯機の動作過程において、内槽１を密封して貯水することで正常な洗浄を行うべく、以下のように設置する。
【０１１８】
図１８に示すように、本実施例では洗濯機について説明する。洗濯機の内槽１は、扉４が内槽の槽口１０１に閉合された場合に密閉される容器である。内槽１の外周には複数の排水口１０が設けられており、各排水口１０には、排水口１０の開閉を制御する制御弁がそれぞれ設けられている。各制御弁１１は、洗濯機の制御回路基板にマッチングされ、且つ接続されている。これにより、洗濯機が高速脱水プログラムを実行する際には制御弁が開放されて、内槽１内の水が各排水口１０から排出される。
【０１１９】
洗濯機の内槽１の排水口１０に開閉を制御可能な制御弁を設けることで、洗濯機が脱水プログラムを実行する際には制御弁を開放するよう自動制御する一方、脱水プログラムでない場合には制御弁を閉止するよう自動制御する。これにより、洗濯機で排水口１０の開閉を自動制御するとの目的が実現される。
【０１２０】
本実施例において、洗濯機の内槽１は、槽口端と内槽底１０２側の端部の直径が異なるテーパー状の槽であり、洗濯機の内槽１の排水口１０が内槽１の大径端に設けられる。好ましくは、洗濯機の内槽１の内槽底１０２の直径は内槽１の開口端の直径よりも大きく、内槽底１０２の外周に複数の排水口１０が均一に配置されている。
【０１２１】
本実施例において、内槽底１０２の外周には複数の排水口１０が設けられている。各排水口１０は内槽１の軸線に対し対称に配置されている。また、各排水口１０にはそれぞれ制御弁が対応して設けられている。
【０１２２】
本実施例において、各制御弁１１は互いに連動するよう接続されており、洗濯機が対応する命令を発すると、各制御弁１１が同時に開閉動作を実行する。これにより、洗濯機の内槽１に設けられた各排水口１０が同時に連動制御され、開閉動作を同期して実行するとの目的が実現される。且つ、洗濯機の内槽１の各制御弁を同期して動作させ、内槽１内の水流を円滑に排出するとの効果が奏される。
【０１２３】
本実施例では、洗濯機の内槽１の排水口１０に設けられる制御弁１１を電磁駆動制御とする。内槽１の排水口１０には電磁弁体９２が設けられており、洗濯機のハウジング２には、電磁弁体９２の開閉を制御するよう対応して設けられる磁気駆動装置が装着されている。磁気駆動装置が通電して動作する際には電磁弁体９２が開放するよう制御され、動作していないときには電磁弁体９２が自動的に閉止する。洗濯機の制御弁を電磁駆動制御とすることで、内槽１の回転時の制御が洗濯機ハウジング２と干渉したり接触したりしない。よって、洗濯機の内槽１を回転自在とし、干渉なく動作させるとの目的が実現される。
【０１２４】
本実施例では、洗濯機の内槽１の排水口１０に設けられる制御弁１１をワイヤレス給電制御とする。内槽１の排水口１０には電子制御弁体９２が設けられており、洗濯機のハウジング２には、電子制御弁体９２の開閉を制御するよう対応して設けられるワイヤレス給電駆動装置が装着されている。ワイヤレス給電駆動装置が通電して動作する際には電子制御弁体９２が開放するよう制御され、動作していないときには電子制御弁体９２が自動的に閉止する。洗濯機の制御弁をワイヤレス給電制御とすることで、内槽１の回転時の制御が洗濯機ハウジング２と干渉したり接触したりしない。よって、洗濯機の内槽１を回転自在とし、干渉なく動作させるとの目的が実現される。
【０１２５】
本実施例において、内槽底１０２には中心から外周に向かって延伸する複数の突出リブ１２が設けられている。各突出リブ１２は、内槽底１０２の中心に対し対称に配置される。また、隣り合う突出リブ１２の間には排水口１０が１つずつ設けられている。前記排水口１０は内槽底１０２の外周に設けられ、且つ両側の突出リブ１２と等間隔に設けられる。
【０１２６】
本実施例では、上記いずれかの洗濯機の制御方法について更に説明する。洗濯機が脱水プログラムを実行する際には内槽１が高速回転し、内槽１の外周の各排水口１０に設けられた制御弁１１が開放される。また、内槽１内の洗浄水が遠心力の作用で内槽１の壁方向へと流動し、内槽１に設けられた排水口１０から流出する。
【０１２７】
上記の方法では、洗濯機の内槽の排水口に開閉を制御可能な制御弁を設けることで、洗濯機が脱水プログラムを実行する際には制御弁を開放するよう自動制御する一方、脱水プログラムでない場合には制御弁を閉止するよう自動制御する。これにより、洗濯機で脱水プログラムを実行する際に排水口の開閉を自動制御するとの目的が実現される。
【０１２８】
本実施例では、洗濯機が洗浄プログラムやすすぎプログラムを正常に実行する際に、内槽１の外周の各排水口１０に設けられた制御弁１１を閉止して、内槽１内の衣類と洗浄水を内槽１の内部に密封する。そして、内槽１の回転の作用力を受けて、衣類を打ち付けることで洗浄を実施する。
【０１２９】
本実施例において、洗濯機が脱水プログラムを実行する際には、内槽１が高速回転し、内槽１内の洗浄水が遠心力の作用を受けて内槽１の壁に密着しつつ流動する。内槽１の壁に密着しつつ流動する洗浄水は、テーパー状の内槽１の壁に位置規制されながら内槽１の大径端に向かって流動し、内槽１の大径端の外周に設けられた制御弁１１が開状態の排水口１０から流出する。
【０１３０】
本実施例を総括すると、洗濯機の制御方法は具体的に以下のステップを含む。
【０１３１】
ステップ１：洗濯機が動作を開始する。
【０１３２】
ステップ２：制御弁が閉状態となり、洗濯機の内槽に洗浄水が投入されて、洗濯機の内槽が回転することで洗浄プログラムが実行される。
【０１３３】
ステップ３：洗浄プログラムが完了すると制御弁が開放され、内槽内の洗浄水が排水口から流出する。
【０１３４】
ステップ４：排水が終了すると、制御弁が再び閉止する。
【０１３５】
ステップ５：制御弁が閉状態となり、洗濯機の内槽にすすぎ水が投入されて、洗濯機の内槽が回転することですすぎプログラムが実行される。
【０１３６】
ステップ６：すすぎプログラムが完了すると制御弁が開放され、内槽内のすすぎ水が排水口から流出する。
【０１３７】
ステップ７：排水が終了したあとも制御弁は開放を維持する。
【０１３８】
ステップ８：制御弁の開状態において、洗濯機の内槽が高速回転を開始することで脱水プログラムが実行される。これにより、衣類から離脱した水が排水口から流出する。
【０１３９】
上記のステップでは、洗濯機の内槽の排水口に開閉を制御可能な制御弁を設け、洗濯機の動作過程において制御弁の開閉を自動制御する。これにより、内槽内に貯水して洗浄又はすすぎを行ったり、排水して脱水したりとの目的が実現される。
【０１４０】
以上は本発明の好ましい実施例にすぎず、本発明を何らかの形式に限定するものではない。本発明については好ましい実施例によって上記のように開示したが、本発明を限定するとの主旨ではない。本発明の技術方案を逸脱しない範囲において、当業者が上記で提示した技術内容を用いて行うわずかな変形或いは補足は、同等に変形された等価の実施例とみなされ、いずれも本発明の技術方案の内容を逸脱するものではない。また、本発明の技術的本質に基づいて上記の実施例に加えられる簡単な修正、同等の変形及び補足は、いずれも本発明の方案の範囲内とされる。
【符号の説明】
【０１４１】
１  内槽
２  ハウジング
３  内槽支持部材
４  扉
５  駆動モータ
６  制震吊りバネ
７  制震支持部材
８  リフティングリブ
９  シールバルブ
１０  排水口
１１  制御弁
１２  突出リブ
９０  位置規制室
９１  カウンタウェイト
９２  弁体
９３  接続ロッド
９４  支持ロッド
９５  第１接続ロッド
９６  第２接続ロッド
９７  装着ベース
９８  位置規制溝
９９  中心部
９１０  突出リブ
９１１  バネ
９２１  止栓
９４１  第１ロッド部
９４２  第２ロッド部
８１  ガードプレート
８２  第１室
８３  第２室
１０１  内槽の槽口
１０２  内槽底
【図１】
2020531185.tif 000003
【図２】
2020531185.tif 000004
【図３】
2020531185.tif 000005
【図４】
2020531185.tif 000006
【図５】
2020531185.tif 000007
【図６】
2020531185.tif 000008
【図７】
2020531185.tif 000009
【図８】
2020531185.tif 000010
【図９】
2020531185.tif 000011
【図１０】
2020531185.tif 000012
【図１１】
2020531185.tif 000013
【図１２】
2020531185.tif 000014
【図１３】
2020531185.tif 000015
【図１４】
2020531185.tif 000016
【図１５】
2020531185.tif 000017
【図１６】
2020531185.tif 000018
【図１７】
2020531185.tif 000019
【図１８】
2020531185.tif 000020
【国際調査報告】
2020531185.tif 000021
2020531185.tif 000022
2020531185.tif 000023
2020531185.tif 000024
2020531185.tif 000025